【手続補正書】
【提出日】平成19年8月24日(2007.8.24)
【手続補正１】
【補正対象書類名】特許請求の範囲
【補正対象項目名】全文
【補正方法】変更
【補正の内容】
【特許請求の範囲】
【請求項１】
シート長手方向位置を調整するため、延在方向（Ｌ）に相互に対して変位自在である２つの長手方向に延長されたガイド・レール（１，２；１０１，１０２）を有する自動車シートのレール長手方向ガイドのためのメモリ装置であり、
前記２つのガイド・レール（１，２）に沿っての該ガイド・レールの延在方向（Ｌ）におけるメモリ位置を調整するために変位自在であると共に、設定されたメモリ位置をロッキングするためのロッキング装置（１０４）を有する第１メモリ・モジュール（１０４，１０５）と、
前記２つのガイド・レール（１，２）の内の第２のものに取り付けられると共に、前記メモリ位置と対応する、前記２つのガイド・レール（１，２）の相対的な位置に到達するに及んで、前記第１メモリ・モジュール（１０４，１０５）のカウンター停止部と係合する停止部（６０２）を有する第２メモリ・モジュール（６）と、
を備えるメモリ装置であって、
前記第２メモリ・モジュール（６）が、プラスチック製ベース・ボディ（６０）を有しており、該ボディを介して前記第２ガイド・レール（２）に固定されることを特徴するメモリ装置。
【請求項２】
前記ベース・ボディ（６０）が、少なくとも１つの起動要素（３）及び／或は少なくとも１つの起動面（６１）を有して、前記第１メモリ・モジュール（１０４，１０５）の前記ロッキング装置（１０４）を起動することを特徴とする、請求項１に記載のメモリ装置。
【請求項３】
前記ベース・ボディ（６０）が、前記ロッキング装置（１０４）に作用するために設けられた起動要素（３）のためのガイド（６３）を有することを特徴とする、請求項２に記載のメモリ装置。
【請求項４】
前記ガイド（６３）が、前記ベース・ボディ（６０）に一体的に形成されること、より詳細には前記起動要素（３）のガイド方向に延在する貫通開口の形態で前記ベース・ボディ（６０）に一体的に形成されることを特徴とする、請求項３に記載のメモリ装置。
【請求項５】
前記ガイド（６３）が、弾性要素（３６）、より詳細にはコイル・スプリングの形態である弾性要素（３６）を保持する中空キャビティを有することを特徴とする、請求項３或は４に記載のメモリ装置。
【請求項６】
前記第１メモリ・モジュール（１０４，１０５）の前記ロッキング装置（１０４）を起動する起動要素（３）が、ガイド（６３）内に移動自在、より詳細には変位自在に取り付けられていることを特徴とする、請求項３乃至５の内の何れか一項に記載のメモリ装置。
【請求項７】
前記弾性要素（３６）が、事前張力付与の下、前記起動要素（３）に対して作用することを特徴とする、請求項５及び６の内の何れか一項に記載のメモリ装置。
【請求項８】
シート長手方向位置を設定するため、延在方向（Ｌ）に相互に対して変位自在である２つの長手方向に延長されたガイド・レール（１，２）を有する自動車シートのレール長手方向ガイドのためのシート・モジュールであって、請求項１から７の内の何れか一項に記載のメモリ装置を備えると共に、多数の相互に異なるシート長手方向位置に前記２つのガイド・レール（１，２）をロックする固定装置（２０）を備え、該固定装置が、一方において前記シート長手方向ガイドをロックし、そして、他方において該レール長手方向ガイドを解除するための相互に異なる位置に至らしめることができる移動自在に取り付けられたロッキング要素（２５）を有することから成るシート・モジュール。
【請求項９】
前記固定装置（２０）が、前記２つのガイド・レール（１，２）の内の一方に、より詳細には前記第２ガイド・レール（２）に、取り付けられることを特徴とする、請求項８に記載のシート・モジュール。
【請求項１０】
少なくとも１つの支持プレート（２１，２２）が、前記ロッキング要素（２５）を取り付けるために設けられることを特徴とする、請求項８または９に記載のシート・モジュール。
【請求項１１】
少なくとも１つの支持プレート（２１）が、ガイド（２１ａ）を、より詳細には前記起動要素（３）のためのガイド開口の形態のガイド（２１ａ）を有することを特徴とする、請求項３に記載のメモリ装置を具備する、請求項１０に記載のシート・モジュール。
【請求項１２】
前記ロッキング要素（２５）が、変位を通じて移動自在で、好ましくはロッキング歯として形成されることを特徴とする、請求項８から１１の内の何れか一項に記載のシート・モジュール。
【請求項１３】
前記少なくとも１つの支持プレート（２１，２２）が、前記ロッキング要素（２５）のためのガイド・プレートとして設計されることを特徴とする、請求項１０から１２の内の何れか一項に記載のシート・モジュール。
【手続補正２】
【補正対象書類名】明細書
【補正対象項目名】００７８
【補正方法】変更
【補正の内容】
【００７８】
停止部６０２を形成するシート状金属部６００の区分は、更に、固定装置２０の第２支持プレート２２上に支持されて、メモリ位置に接近するに及んで、停止部６０２に作用する力は直ちに第２支持プレート２２に指向され、そして、図４ａ及び図４ｂで参照されるように、そこから支持点２２ａ，２２ｂを介してシート・レール２を通じて吸収され得る。
図１ないし図１０に示したこの発明の実施例は、次の１）から２０）の態様を含む。
態様１）
この発明のメモリ装置において、ベース・ボディ（６０）がガイド面（６１）を有し、ロッキング装置（１０４）の区分が、前記レール長手方向ガイドのガイド・レール（１，２）のメモリ位置まで移動するに及んで、そのガイド面に沿ってスライドすることが好ましい。
態様２）
この発明のメモリ装置において、前記メモリ位置に到達する前に、起動要素（３）による前記ロッキング装置（１０４）のアンロックが前記ガイド面（６１）によって防止されることが好ましい。
態様３）
この発明のメモリ装置において、前記ベース・ボディ（６０）が前記第２ガイド・レール（２）上への積極的固定を為すべく設計されることが好ましい。
態様４）
この発明のメモリ装置において、前記ベース・ボディ（６０）が、前記第２ガイド・レール（２）への固定のため、少なくとも１つの一体的に形成された積極的なロッキング要素（６５）を有することが好ましい。
態様５）
この発明のメモリ装置において、前記第２ガイド・レール（２）に対する前記ベース・ボディ（６０）の積極的固定のため、少なくとも１つの戻り止め要素（６５）が存在することが好ましい。
態様６）
この発明のメモリ装置において、前記戻り止め要素（６５）が、ロッキング・ピン（６６）によって好ましくは拡張され得る拡張自在なスナップ嵌合要素として設計される。
態様７）
この発明のメモリ装置において、前記ベース・ボディ（６０）が少なくとも１つの固定点を有し、該固定点を通じて、個別固定手段、例えば、少なくとも１つのリベット或は少なくとも１つのネジの形態である個別固定手段によって前記第２ガイド・レール（２）上に固定され得ることが好ましい。
態様８）
この発明のメモリ装置において、第２メモリ・モジュール（６）の停止部（６０２）が、前記ベース・ボディ（６０）と連結された個別の構成要素部（６００）によって形成されることが好ましい。
態様９）
この発明のメモリ装置において、前記個別の構成要素部（６００）が、金属製、より詳細にはシート状金属製であることが好ましい。
態様１０）
この発明のメモリ装置において、前記個別の構成要素部（６００）が、前記ベース・ボディ（６０）にキー係合で連結されることが好ましい。
態様１１）
この発明のメモリ装置において、前記個別の構成要素部（６００）が、フランジ状係合（６０１，６０４）を介して前記ベース・ボディ（６０）と連結されることが好ましい。
態様１２）
この発明のメモリ装置において、前記個別の構成要素（６００）が、前記起動要素（３）用の貫通開口（６０３）を有することが好ましい。
態様１３）
この発明のシート・モジュールにおいて、固定装置（２０）が、ロッキング要素（２５）の変位方向に相互に離間された２つのガイド・プレート（２１，２２９）を含むことが好ましい。
態様１４）
この発明のシート・モジュールにおいて、前記少なくとも１つのガイド・プレート（２１，２２）が前記ロッキング要素（２５）のためのガイド開口を有することが好ましい。
態様１５）
この発明のシート・モジュールにおいて、前記少なくとも１つの支持プレート（２１，２２）が、前記ガイド・レール（１，２）の内の一方に、より詳細には前記第２ガイド・レール（２）に固定されることが好ましい。
態様１６）
この発明のシート・モジュールにおいて、前記第２メモリ・モジュール（６）の前記停止部（６０２）を形成する前記構成要素部（６）が、少なくとも１つの支持プレート（２２）上に支持されることが好ましい。
態様１７）
この発明のシート・モジュールにおいて、前記ロッキング要素（２５）のための起動手段（２９）が、前記固定装置（２０）の少なくとも１つの支持プレート（２１）に取り付けられることが好ましい。
態様１８）
この発明のシート・モジュールにおいて、少なくとも１つの支持プレート（２２）が、関連されたガイド・レール（２）に、より詳細には前記レール長手方向ガイドの前記第２レールに支持されることが好ましい。
態様１９）
この発明の自動車シートは、シート・フレーム（Ｇ）と、前記シート・フレーム（Ｇ）に旋回移動自在に取り付けられて、その有用位置から前記シート・フレーム（Ｇ）のシート面に向かって前方に折り込まれ得る背凭れ（Ｒ）と、レール長手方向ガイド（１，２）であり、それによって、前記シート・フレーム（Ｇ）が前記レール長手方向（Ｌ）における前記シート長手方向位置を設定すべく移動され得ることから成るレール長手方向ガイド（１，２）と、前記シート・フレーム（Ｇ）を先行して設定されたシート長手方向位置にロックするための固定装置（２０）と、結合機構であり、それを通じて、前記固定装置（２０）が前記背凭れ（Ｒ）と結合されて、該背凭れ（Ｒ）を前記シート面に向かって折り込むに及んで該固定装置（２０）が解除されるように為すことから成る結合機構と、メモリ装置（１０４，１０５，１０７）であり、それによって、前記シート長手方向に移動するに及んだ前記シート・フレームが前記メモリ位置として規定された調整自在なシート長手方向位置に自動的に停止され得ることから成るメモリ装置（１０４，１０５，１０７）と、設定されたメモリ位置をロックするための前記メモリ装置（１０４，１０５，１０７）のロッキング装置（１０４，１０７）と、前記ロッキング装置（１０４，１０７）を前記背凭れ（Ｒ）と結合させる手段（２０２，２０６）とを具備し、前記メモリ装置として、この発明におけるメモリ装置を備えている。
態様２０）
この発明の自動車シートは、この発明のシート・モジュールであることが好ましい。